(57)【要約】  本発明は、概略的には、ヒトの皮膚及び関節に対する改善された伸張性及び追従性を有する包帯又はテープなどの手当用品に関する。
2020516380.tif 000002
【特許請求の範囲】
【請求項１】
手当用品であって、
非セルロース材料層であって、
（ｉ）相互に直交する３つの方向の軸をそれぞれ画定する長さ方向（Ｌ）、幅方向（Ｗ）、及び厚さ方向（Ｔ）を有し、前記長さ方向（Ｌ）及び前記幅方向Ｗが水平面（「ＬＷ平面」）を画定し、前記厚さ方向（Ｔ）が前記ＬＷ平面に対して上下方向又は垂直方向を画定し、前記材料層が前記厚さ方向に沿った厚さを有し、
（ｉｉ）複数の無材料領域を有し、前記無材料領域のそれぞれが前記材料層の少なくとも一部分の前記厚さを通って延在し、前記複数の無材料領域が、前記ＬＷ平面内に中心点（Ｐ）を有する同心スリット環パターンの形で配置され、前記同心スリット環パターンが、前記中心点Ｐに対して、最短径及び最長径をそれぞれが有する径方向に最も内側の同心環及び径方向に最も外側の同心環を有する、
非セルロース材料層を含み、
前記複数の無材料領域が、複数の空間的間隔で隔てられて端から端まで配置され、任意の同心環Ｉ内に位置する任意の無材料領域Ｉｎが、前記中心点Ｐで非ゼロ値角度αＩｎを定め、ｎが、連続した番号で配置された無材料領域を中に有する環内の一無材料領域を特定する番号を表し、
前記同心環のうちの任意の１つにおいて、前記中心点Ｐで前記複数の無材料領域によって定められる前記非ゼロ値角度の合計が３６０度未満であり、
前記同心環のうちの任意の１つの前記無材料領域が、任意の隣接する内側及び／又は隣接する外側の同心環の前記無材料領域に対して径方向にずれた関係にある、
手当用品。
【請求項２】
前記最も内側の同心環と前記最も外側の同心環との間に配置された１つ以上の介在する同心環を更に含む、請求項１に記載の手当用品。
【請求項３】
前記１つ以上の介在する同心環のいずれかが、前記介在する同心環に対して隣接する任意の内側の同心環の直径よりも大きい直径を有する、請求項２に記載の手当用品。
【請求項４】
任意の径方向に同心の環の任意の無材料領域が、前記中心点Ｐで前記無材料領域によって定められる前記角度を二等分する対称軸を有する、請求項１に記載の手当用品。
【請求項５】
（ａ）任意の無材料領域Ｉｎが、前記非ゼロ値角度αＩｎを二等分する対称軸を更に有し、
（ｂ）同心環Ｉに隣接する任意の同心環Ｋ内に位置し、無材料領域Ｉｎに近接する任意の無材料領域Ｋｎが、前記中心点Ｐで非ゼロ値角度αＫｎを定め、前記非ゼロ値角度αＫｎを二等分する対称軸を有し、
（ｃ）前記無材料領域Ｉｎの前記対称軸が、前記無材料領域Ｋｎの前記対称軸から角度φだけずれており、
（ｄ）前記角度φが、次の式：０°＜φ＜（αＩｎ＋αＫｎ）で指定される範囲内の値を有する、
請求項１に記載の手当用品。
【請求項６】
前記径方向に最も内側の同心環内の任意の無材料領域の前記対称軸が、前記径方向に最も外側の同心環内に位置する任意の近接する無材料領域の前記対称軸から径方向に、約５°から約４０°の範囲の値を有する角度φだけずれている、請求項４に記載の手当用品。
【請求項７】
前記同心環のうちの任意の１つの任意の無材料領域の前記対称軸が、前記同心環に対して径方向に外側又は内側の任意の隣接する同心環内に位置する任意の近接する無材料領域の前記対称軸から径方向に、約５°から約３０°の範囲の値を有する角度φだけずれている、請求項４に記載の手当用品。
【請求項８】
前記最も内側の同心環が約３．１７５ｍｍから約８８．９ｍｍ（約０．１２５インチから約３．５インチ）の範囲の直径を有する、請求項１に記載の手当用品。
【請求項９】
前記最も外側の同心環が約３．１７５ｍｍから約６．３５ｍｍ（約０．１２５インチから約０．２５インチ）の範囲の直径を有する、請求項１に記載の手当用品。
【請求項１０】
前記最も内側の同心環が約３．１７５ｍｍから約１２．７ｍｍ（約０．１２５から約０．５インチ）の範囲の直径を有し、前記最も外側の同心環が約１２．７ｍｍから約２５．４ｍｍ（約０．５インチから約１インチ）の範囲の直径を有する、請求項１に記載の手当用品。
【請求項１１】
各同心環が同心中心線を有する、請求項１に記載の手当用品。
【請求項１２】
前記同心スリット環パターンが、隣接する同心環の連続する対の隣接する同心中心線間に等しい径方向間隔を有する、請求項１１に記載の手当用品。
【請求項１３】
隣接する同心環の対の隣接する同心中心線の任意の対が、前記同心スリット環パターンの隣接する同心環の連続する対の隣接する同心中心線の異なる対の間で異なる径方向間隔によって隔てられている、請求項１１に記載の手当用品。
【請求項１４】
前記同心スリット環パターンが、前記中心点Ｐから径方向外向きに増加する、隣接する同心環の隣接する同心中心線の対の間の径方向間隔を有する、請求項１３に記載の手当用品。
【請求項１５】
前記同心スリット環パターンが、前記中心点Ｐから径方向外向きに減少する、隣接する同心環の隣接する同心中心線の対の間の径方向間隔を有する、請求項１３に記載の手当用品。
【請求項１６】
前記同心スリット環パターンが、隣接する同心環の異なる対の間で異なる、隣接する同心環の連続する対の隣接する同心中心線の各対の間の径方向間隔を有する、請求項１１に記載の手当用品。
【請求項１７】
隣接する同心環の任意の対が、前記中心点Ｐからの隣接する同心環の各径方向距離間の差である距離だけ径方向に離間している、請求項１に記載の手当用品。
【請求項１８】
任意の所与の同心環内の前記複数の無材料領域を隔てている前記複数の空間的間隔のそれぞれの大きさは、前記同心スリット環パターンの前記最も内側の同心環内では最小値を有し、前記最も外側の同心環内でその最大値となるまで、連続する径方向に外側の同心環毎に値が増加する、請求項１に記載の手当用品。
【請求項１９】
任意の所与の同心環内の任意の空間的間隔が前記中心Ｐで角度θを定め、更に、前記角度θが約３°から２０°の範囲の値を有する、請求項１に記載の手当用品。
【発明の詳細な説明】
【技術分野】
【０００１】
本発明は、概略的には、ヒトの皮膚及び関節に対する改善された伸張性及び追従性を有する包帯又はテープなどの手当用品に関する。いくつかの実施形態では、本発明は、少なくとも１つの材料層を含む手当用品に関し、この材料層の一部分は、その部分の厚さを通って延在する複数の無材料領域を含む。少なくとも１つの例示的な実施形態では、複数の無材料領域は、共通の中心点Ｐを有する同心スリット環パターンの形に配置され、同心スリット環パターンは、中心点Ｐに対して、最短径及び最長径をそれぞれが有する径方向に最も内側の同心環及び径方向に最も外側の同心環を有する。
【背景技術】
【０００２】
皮膚に貼付する、及び／又は皮膚を覆うための包帯及びテープなどの手当用品は、しばらく前から既知であった。このような手当用品は、小さな創傷を密閉し、小さな創傷を保護し、かつ／又は擦過傷を覆うよう、幅広く受け入れられている。一部の場合、微孔性又は通気性の包帯又はテープが開発されて、小さな創傷又は一部が治癒している創傷を覆うために使用されてきた。
【０００３】
そのような手当用品は、例えば、創傷が呼吸し、創傷から水蒸気を逃がすことができる微孔性材料を組み込むなどのように、長年にわたって大幅に改善されているため、創傷の浸軟の可能性が減少しているが、特に、手当用品が指、足首又は膝の関節などの関節領域に関連するヒトの組織の領域を覆うか又は接触している状況においては、皮膚又は組織の三次元輪郭を覆い、収容し、手当用品で覆われているか又は手当用品と接触している皮膚又は組織の部分と共に動く（すなわち、その動きに適応する）ように改善された伸張性及び弾性を提供する手当用品が、依然として必要とされている。したがって、手当用品が前述の特性を提供するためには、手当用品は、貼付される皮膚又は組織表面の三次元輪郭の変化に動的に適合することができなければならない。
【０００４】
手当用品はまた、接着されるヒトの皮膚組織の領域に適合可能であるか、又は十分なドレープ性を提供する必要がある。
【発明の概要】
【発明が解決しようとする課題】
【０００５】
したがって、本発明の一態様は、創傷を被覆する、創傷を保護する、及び創傷治癒を促進するために使用可能な手当用品を提供することである。本発明の更なる一態様は、皮膚の創傷領域に適合し、関節などの可動領域をより良好に被覆するように改善された伸張性、弾性及び追従性を有する包帯及びテープを提供することである。本発明の他の態様は、以下の説明及び特許請求の範囲から容易に明白になろう。
【課題を解決するための手段】
【０００６】
一実施形態では、本発明は、
非セルロース材料層であって、
（ｉ）相互に直交する３つの方向の軸をそれぞれ画定する長さ方向（Ｌ）、幅方向（Ｗ）、及び厚さ方向（Ｔ）を有し、長さ方向（Ｌ）及び幅方向Ｗが水平面（「ＬＷ平面」）を画定し、厚さ方向（Ｔ）がＬＷ平面に対して上下方向又は垂直方向を画定し、材料層が厚さ方向に沿った厚さを有し、
（ｉｉ）複数の無材料領域を有し、無材料領域のそれぞれが材料層の少なくとも一部分の厚さを通って延在し、複数の無材料領域が、ＬＷ平面内に中心点（Ｐ）を有する同心スリット環パターンの形で配置され、同心スリット環パターンが、中心点Ｐに対して、最短径及び最長径をそれぞれが有する径方向に最も内側の同心環及び径方向に最も外側の同心環を有する、
非セルロース材料層を含み、
複数の無材料領域が、複数の空間的間隔で隔てられて端から端まで配置され、任意の同心環Ｉ内に位置する任意の無材料領域Ｉｎが、中心点Ｐで非ゼロ値角度αＩｎを定め、ｎが、連続した番号で配置された無材料領域を中に有する環内の一無材料領域を特定する番号を表し、
同心環のうちの任意の１つにおいて、中心点Ｐで複数の無材料領域によって定められる非ゼロ値角度の合計が３６０度未満であり、
同心環のうちの任意の１つの無材料領域が、任意の隣接する内側及び／又は隣接する外側の同心環の無材料領域に対して径方向にずれた関係にある、
手当用品に関する。
【０００７】
本発明はまた、開示された実施形態を含む本発明の手当用品を、ヒト又は哺乳動物の体の関節領域（又は動きやすい領域）を覆う皮膚表面に使用／貼付する方法に関する。
【図面の簡単な説明】
【０００８】
以下に、本発明の実施形態をあくまで例示の目的で添付図面を参照しながら更に詳細に説明する。
【図１】同心スリット環パターンの形で配置された複数の無材料領域を含む材料層の斜視図である。
【図２】同心スリット環パターンの形で配置された複数の無材料領域を含む材料層の平面図である。
【図２Ａ】同心スリット環パターンの平面図である。
【図２Ｂ】図２Ａの同心スリット環パターンの別の平面図であり、各無材料領域に符号が付けられている。
【図３Ａ】図２Ａの同心スリット環パターンの無材料領域が閉じた位置にある、材料層平面内の平坦な構成の図１の材料層の斜視図である。
【図３Ｂ】図３Ａの同心スリット環パターンの無材料領域が開いた位置にある、材料層の厚さ方向Ｔの力の印加によって生じる拡張形状の図１の材料層の斜視図である。
【図３Ｃ】材料層の厚さ方向Ｔの力を除去し、図２Ａの同心スリット環パターンの無材料領域が閉じた位置に戻った時の、手当用品の平面内の平坦な構成に戻った図３Ｂの材料層の斜視図である。
【図４Ａ】複数の同心スリット環の各環の中心線が描かれた、図２Ａの同心スリット環パターンの平面図である。
【図４Ｂ】同心スリット環パターンの平面図である。
【図５】同心スリット環パターンの平面図である。
【図６】本発明の材料層と剥離可能層との間にある更なる層を示す、本発明の手当用品の分解図である。
【図７】裏材層と剥離可能層との間の本発明の材料層を示す、本発明の手当用品の分解図である。
【図８】本発明の例示的な一実施形態による別の手当用品の斜視図である。
【発明を実施するための形態】
【０００９】
本発明の手当用品は、本明細書に記載される本発明の必須要素及び制限事項、並びに本明細書に記載される追加若しくは任意の特徴、構成要素、又は制限事項のいずれかを含むか、これらからなるか、又はこれらから本質的になり得る。
【００１０】
本明細書で使用する時、用語「含む（comprising）」（及びその文法的変形）は、「有する（having）」又は「含む（including）」を包含する意味で（かつこれらの用語と互換的に）用いられ、「のみからなる（consisting only of）」の排他的な意味では用いられない。本明細書で使用する場合、用語「ａ」及び「ｔｈｅ」は、単数に加えて複数も包含すると理解される。
【００１１】
本明細書及び特許請求の範囲で使用される「皮膚」及び「組織」という用語は互換可能であり、哺乳動物の皮膚を指す。
【００１２】
本明細書及び特許請求の範囲で使用される「皮膚科学的に許容可能な」という用語は、皮膚組織に対する過度の毒性、不適合性、不安定性又は有害な反応を伴わずに皮膚組織と接触する使用に適していることを意味する。
【００１３】
本明細書及び特許請求の範囲で使用される「近接する」、「隣り合う」、「隣接する」という用語及びそれらの任意の変形は、本発明に関連して互換可能に使用される。
【００１４】
本明細書及び特許請求の範囲で使用される「環」という用語は、例えば円などの円形の輪郭／形状、楕円などの非円形の輪郭／形状、又は円形若しくは楕円形に近似する任意の多角形状を意味する。
【００１５】
本明細書及び特許請求の範囲で使用される、任意の所与の同心環の「同心中心線」という用語は、同心環の円周と一致する（例えば、環状経路の中間点を通る）想像上の線、又はいくつかの実施形態では所定の間隔で端から端まで配置されて同心環を形成する、複数の無材料領域のそれぞれの少なくとも一部分と交差する想像上の線を意味する。
【００１６】
本明細書で使用される「目視検査」又は「目視検査された」という用語は、約０．２５メートルの距離における標準７５ワットの白熱光を発する白熱電球の照度に少なくとも等しい照明における、（近視、遠視、若しくは乱視を補うように適応した標準的な補正レンズ、又は他の矯正視力を除く）肉眼での検査を意味する。
【００１７】
参照により一部又はその全体が本明細書に組み込まれている文書はすべて、これらが本明細書に矛盾しない範囲においてのみ本明細書に組み込まれる。
【００１８】
特定の実施形態では、本明細書で開示される本発明は、本明細書に具体的に開示されていないいかなる成分、要素（又は、成分若しくは要素の群）、又は方法工程が存在しなくても実施することができる。
【００１９】
以下に、例示のみを目的として、添付の図面を参照しながら本発明の実施形態をより詳細に説明する。全体を通して同じ参照番号が同じ要素を示す図面を詳細に参照すると、図１〜図５に、本発明の例示的な実施形態に基づく、概して参照番号１０で示される手当用品が図示されている。
【００２０】
材料層
図１を参照すると、例示的な一実施形態において、手当用品１０が、相互に直交する３つの方向の軸をそれぞれ画定する長さ方向（Ｌ）、幅方向（Ｗ）、及び厚さ方向（Ｔ）を有する材料層１２を含み、長さ方向（Ｌ）及び幅方向Ｗが共同で水平面（「ＬＷ平面」）を画定し、厚さ方向ＴがＬＷ平面並びに上面及び（皮膚に面する）下面に対して上下方向又は垂直方向を画定している。一実施形態では、図１に示されるように、材料層１２は厚さ方向Ｔに沿った厚さ１４を有する。図に示されている円形に加えて、材料層が、長方形、楕円形、卵形、又は楕円形などを含むがこれらに限定されない任意の数の形状の形であってもよい。
【００２１】
いくつかの実施形態では、材料層がセルロース材料から形成され、セルロース材料が、６００以上の長さ／直径比を有する繊維を含む。
【００２２】
他の複数の実施形態では、材料層は、非セルロース又は再生セルロース材料から形成される。材料に関する「非セルロース」という用語は、材料がセルロース成分又は繊維を１０重量％未満、任意選択的に５重量％未満、任意選択的に１重量％未満、任意選択的に０．１重量％未満、又は任意選択的に０重量％含有することを意味する。材料に関する「再生セルロース」という用語は、材料が非再生セルロース成分又は繊維を１０重量％未満、任意選択的に５重量％未満、任意選択的に１重量％未満、任意選択的に０．１重量％未満、又は任意選択的に０重量％を含有することを意味する。適切な材料は、ポリウレタン、ポリエチレン、ポリイソブタジエン、ポリイソブチレン、ネオプレン、ポリアミド、（ポリエチレンテレフタレート（ＰＥＴ）、ポリブチレンテレフタレート（ＰＢＴ）及びこれらの混合物などの）ポリエステル、ポリエーテルポリエステル、非親水性ポリエーテルポリアミド、可塑化ポリ塩化ビニル、スチレンブタジエンブロックコポリマー、スチレンイソプレンブロックコポリマー、ポリアクリレート、メタクリルコポリマー、ポリプロピレン、レーヨン、レーヨン／ポリエステルブレンド及びこれらの混合物を非限定的に含む（あるいは、これらから選択されるか又はこれらからなる群から選択される）。いくつかの実施形態では、材料は皮膚科学的に許容可能な材料である。
【００２３】
無材料領域
一実施形態では、図１及び図２Ａに示されるように、手当用品１０の材料層１２は、それぞれ材料層１２の少なくとも一部分の厚さ１４を通って延在する複数の無材料領域１６を含む。本明細書で使用される「無材料の」又は「材料のない」という用語は、材料の連続性が中断されるか、あるいはそのような領域又は区域が材料を欠くように、材料がないか又は材料が実質的にない材料層の領域又は区域を意味し、材料がないか又は材料が実質的にない材料層の領域又は区域には、材料の切込み、穴、スリット（又はスリット入りの材料）あるいは開口部が挙げられ、また互換可能であるが、これらに限定されない。いくつかの実施形態では、別個の無材料領域１６はＳ字状であり、肉眼で識別する（すなわち、視野を拡大する光学レンズの助けなしで見る）ことが不可能であるような別個の領域を含む。そのような例には、材料層１２を約１μｍから約１５μｍの厚さのナイフ又は約１０μｍから１０００μｍのレーザ厚を有するレーザで切断することによって材料層１２に形成される極薄の切込み又はスリットが含まれる。無材料領域を、いかなる数の形状の形としてもよい。いくつかの実施形態では、図１〜図３及び図６に示すように、材料層１２のこれらの無材料領域１６がそれぞれ、個別の弧又はＳ字状スリットの形であってもよい。
【００２４】
レーザ及びナイフに加えて、ウォータージェット切断、高圧蒸気切断などによる材料層１２の形成中に、無材料領域を材料層１２内に組み込んでもよい。
【００２５】
一実施形態では、図２Ｂ及び図２Ｃに示すように、複数の無材料領域１６は、層のＬＷ平面内に中心点（Ｐ）を有する同心スリット環パターン１８の形の複数のスリットとして配置されている。一実施形態では、図２Ａに示すように、同心スリット環パターン１８は、最も内側の同心環Ａから最も外側の同心環ＨまでＡからＨとラベル付けされた８つの環を有するように描かれている。しかしながら、同心スリット環パターン１８内の環の数は、２、３、４、５などを含む１より上のいかなる数であってもよいことを理解されたい。手当用品１０に使用される材料の特定の用途及び／又は特定の性質に応じて、同心スリット環パターン１８は、いずれも当業者の理解の範囲内の任意の数の同心環を含むことができる。
【００２６】
図１〜図２Ｂを参照すると、例示的な一実施形態では、材料層１２は、同心スリット環パターン１８を含み、各同心環は、ｎ個の複数の無材料領域１６を含む。任意の所与の同心環内の無材料領域の数ｎは、本出願に記載の特性の少なくとも１つ以上を有する手当用品が得られ、最も内側の同心環Ａが少なくとも２つの無材料領域１６を含む限りにおいて、いかなる好適な数であってもよい。一実施形態では、図２Ｂに示すように、同心環Ａ〜Ｈのそれぞれに同数の無材料領域１６が存在する。しかしながら、無材料領域１６の数ｎが、同心スリット環パターン１８の同心環の間で異なっていてもよいことを理解されたい。いくつかの実施形態では、無材料領域１６の数ｎは、２〜２５、任意選択的に２〜１８、任意選択的に２〜７、任意選択的に３〜７の範囲である。
【００２７】
いくつかの実施形態では、任意の所与の同心環内の無材料領域１６の数ｎは、３〜１０の範囲である。
【００２８】
図２Ａを参照すると、一実施形態では、複数の無材料領域１６は、空間的間隔２４によって隔てられて端から端まで配置されている。詳細には、複数の無材料領域１６は、複数の無材料領域１６が互いに空間的間隔２４によって隔てられ、複数の無材料領域１６のそれぞれが、同心スリット環パターン１８の中心点Ｐで（例えばα１及びα２などの）角度αを定めるように、環状経路に沿って配置されている。中心点Ｐで任意の所与の無材料領域１６によって定められる角度αは、約２０°から約１７７°、任意選択的に２０°から９０°、任意選択的に３０°から６０°の範囲の値を有することができる。典型的には、任意の所与の同心環内の中心点Ｐで複数の無材料領域１６によって定められる角度の合計は、０度超３６０度未満である。これにより、無材料領域１６間に空間的間隔２４が存在することが確実となる。
【００２９】
少なくとも１つの実施形態では、図２Ｂに更に示されるように、任意の同心環１８の無材料領域１６は、隣接する内側及び／又は隣接する外側の同心環の無材料領域１６に対して径方向にずれた関係で（すなわち、位置合わせされずに）配置されている。例えば、最も内側の同心環Ａの無材料領域Ａ１は、隣接して介在する同心環Ｂの近接する無材料領域Ｂ１及びＢ１０とずれた関係にある。同様に、例えば、介在する同心環Ｃの無材料領域Ｃ１は、隣接して介在する同心環Ｄの近接する無材料領域Ｄ１及びＤ１０とずれた関係にあり、更に、隣接して介在する同心環Ｂの近接する無材料領域Ｂ１及びＢ１０ともずれた関係にある。同様に、例えば、最も外側の同心環Ｈの無材料領域Ｈ１は、隣接して介在する同心環Ｇの近接する無材料領域Ｇ１及びＧ２とずれた関係にある。このように、径方向内側の同心環及び径方向外側の同心環に隣接する任意の同心環の無材料領域はそれぞれ、隣接する径方向内側の同心環に２つ、隣接する径方向外側の同心環に２つある４つの無材料領域と隣接し、これらに対してずれている。対照的に、最も内側の同心環又は最も外側の同心環はそれぞれ、１つのみの同心環と隣接しているため、最も内側の同心環又は最も外側の同心環の無材料領域はそれぞれ、隣接する同心環の２つの無材料領域のみと隣接し、これらに対してずれている。
【００３０】
上記のずれた配置は、図２Ａに更に示されており、同心スリット環パターン１８の同心環のうちの任意の１つの任意の無材料領域１６は、そのような無材料領域１６と、これと位置合わせされている、径方向に最も内側の同心環の対応する無材料領域１６とを二等分する対称軸を有する。そのような対称軸はまた、そのような無材料領域１６と、これと中心点Ｐで位置合わせされている、径方向に最も内側の環の対応する無材料領域１６とによって定められる角度を二等分する。例えば、同心環Ｃの無材料領域１Ｃは、無材料領域１Ｃを二等分すると共に、これと位置合わせされている最も内側の同心環Ａの無材料領域１Ａも二等分する対称軸２８を有する。対称軸２８はまた、中心点Ｐで無材料領域１Ｃ及び１Ａによって定められる角度α１も二等分する。同様に、同心環Ｄの無材料領域１Ｄは、無材料領域１Ｄを二等分すると共に、これと位置合わせされている最も内側の同心環Ｂの無材料領域１Ｂも二等分する対称軸３０を有する。対称軸３０は、中心点Ｐで無材料領域１Ｄ及び１Ｂによって定められる角度α２も二等分する。位置合わせされた無材料領域１６の組の対称軸２８は、他の位置合わせされた無材料領域１６の組の対称軸３０に対して角度φだけずれている。一般に、同心環Ａ及びＣの位置合わせされた無材料領域１Ａ及び１Ｃの対称軸２８と、同心環Ｂ及びＤの位置合わせされた無材料領域１Ｂ及び１Ｄの対称軸３０とは、互いに対し、一般に次の式、０°＜φ＜（α１＋α２）で指定される範囲内の値を有する角度φだけずれている。ここで、α１は中心点Ｐで無材料領域１Ａ及び１Ｃによって定められる角度であり、α２は中心点Ｐで無材料領域１Ｂ及び１Ｄによって定められる角度である。角度φは、約５°から４０°、任意選択的に約５°から３０°、任意選択的に約５°から２５°、任意選択的に約５°から２０°、任意選択的に約１０°から２０°の範囲の値を含む、任意の適切な非ゼロ値を有することができる。最も内側の同心環Ａと最も外側の同心環Ｈとの間に介在する同心環の場合、任意の無材料領域１６は、隣接する同心の径方向内側の環内にある２つの無材料領域１６と、介在する同心環に対して径方向外側の隣接する同心の環内にある２つの無材料領域１６とに近接している。したがって、図２Ｂの実施形態に示されるように、介在する同心環Ｂの無材料領域Ｂ８は、最も内側の同心環Ａの無材料領域Ａ８及びＡ９と、介在する同心環Ｃの無材料領域Ｃ８及びＣ９とに近接している。更に、介在する同心環Ｂの無材料領域Ｂ８は、近接する無材料領域Ａ８、Ａ９、Ｃ８及びＣ９の各対称軸に対して角度φだけずれている対称軸（中心点Ｐで無材料領域Ｂ８によって定められる角度を二等分する）を有する。
【００３１】
したがって、
（ａ）任意の同心環Ｉ内に位置する任意の無材料領域Ｉｎは、中心点Ｐで非ゼロ値角度αＩｎを定め、非ゼロ値角度αＩｎを二等分する対称軸を有する、
（ｂ）同心環Ｉに隣接する任意の同心環Ｋ内に位置し、無材料領域Ｉｎに近接する任意の無材料領域Ｋｎは、中心点Ｐで非ゼロ値角度αＫｎを定め、非ゼロ値角度αＫｎを二等分する対称軸を有する、
（ｃ）無材料領域Ｉｎの対称軸は、無材料領域Ｋｎの対称軸から角度φだけずれている、及び
（ｄ）角度φは、次の式で指定される範囲内の値を有する：０°＜φ＜（αＩｎ＋αＫｎ）、
式中、ｎは、連続した番号で配置された無材料領域を中に有する環内の無材料領域を特定する番号（例えば、図２Ｂに示すように、環ＦのＦ１からＦ１０など）を表す。
【００３２】
例として、ｎ＝８の場合、環Ｆの無材料領域Ｆ８は、中心点Ｐで角度αＦ８を定め、隣接する環ＥのＦ８と隣接かつ近接する無材料領域である、例えばＥ８（又はＥ９）も同様に、中心点Ｐで角度αＥ８（又はＥ９の場合はαＥ９）を定め、Ｆ８及びＥ８（又はＥ９）の対称軸はそれぞれ、角度αＦ８及びαＥ８（又はＥ９の場合はαＥ９）を二等分する。（Ｆに隣接する）環Ｇの無材料領域Ｇ８及びＧ９も、Ｆ８に隣接かつ近接していると見なされ、同様に、中心点Ｐでそれぞれの角度αＧ８及びαＧ９を定めかつ二等分することを理解されたい。
【００３３】
本出願の他の箇所で述べたように、角度φは、５から任意選択的に約５°〜４０°、任意選択的に約１０°〜４０°、任意選択的に１０°〜３０°の範囲の値を含む、任意の適切な非ゼロ値を有することができる。
【００３４】
図２から明らかなように、同心スリット環パターン１８の同心環の半径の値は、同心スリット環パターン１８の中心点Ｐに対して径方向に最も内側の同心環Ａ（最短半径を有する）から径方向に最も外側の同心環Ｈ（最長半径を有する）へと増加する。換言すれば、いずれの同心スリット環パターン１８においても、最も内側の同心環Ａが（例えば直径２０など）最短径を有し、最も外側の同心環Ｈが（例えば直径２２など）最長径を有する。
【００３５】
図４Ａを参照すると、同心スリット環パターン１８の同心環の各同心環は、その同心環に対して隣接するいかなる内側又は外側の同心環からも径方向に離間している（参照番号３４を参照）。また、各同心環には、例えば図４Ａの番号３２で参照される破線の同心中心線によって示されるように、これを貫通する同心中心線が画定されている。任意の所与の同心環の「同心中心線」という用語は、同心スリット環パターン１８の同心環の円周と一致する（例えば、図４Ａに図示されるように環状経路の中間点を通る）想像上の線、又は空間的間隔で端から端まで配置されて同心環を形成する、複数の無材料領域１６のそれぞれの少なくとも一部分と交差する（図５において最も内側の同心環が参照番号３２として示される破線の同心中心線などの）想像上の線を意味する。隣接する同心環の隣接する同心中心線の任意の対は、これらの隣接する同心環の各半径の長さの差又はこれらの隣接する同心環の各中心線の中心点Ｐから測定した距離の差である距離だけ、互いに径方向に離間して配置されている（例えば図４Ａの参照番号３４など）。
【００３６】
一実施形態では、図４Ａに示されるように、同心スリット環パターン１８の隣接する環の連続する対の同心中心線の隣接する対の間の径方向距離３４が、互いに実質的に等しくてもよいし、互いに異なっていてもよい。他の複数の実施形態では、隣接する環の任意の対は、同心スリット環パターン１８の隣接する環の他の連続する対の中心線の異なる対の間で異なる、（隣接する環の対の同心中心線間の距離として測定される）径方向間隔３４だけ隔てられている。一実施形態では、隣接する環の隣接する中心線の対の間の径方向間隔３４の値は、最も内側の同心環とこれに隣接する同心環との間で最小値を有し、最も外側の同心環とこれに隣接する同心環との間の最大値まで径方向に外向きに増加する。一実施形態では、図４Ｂに示すように、隣接する環の隣接する中心線の対の間の径方向間隔３４の値は、最も内側の同心環とその隣接する同心環との間で最大値を有し、図４Ｂに更に示すように、径方向間隔３４は、最も外側の同心環とその隣接する同心環との間で最小値となるまで径方向に外向きに減少する（参照番号３４と３４’とを比較）。しかしながら、隣接する同心環間の径方向距離の他の構成も可能である。したがって、いくつかの実施形態では、同心スリット環パターン１８の隣接する環の連続する対の同心中心線間の径方向間隔３４は、連続する径方向間隔の大きさが必ずしも昇順又は降順ではなく、ランダムな順序となるように、隣接する同心環の異なる対の間で異なる。
【００３７】
典型的には、同心スリット環パターン１８の一対の同心環の間の径方向距離３４は、０．０１インチから１．０インチ、任意選択的に０．０１インチから０．５インチ、０．０１インチから０．２５インチ、０．０１インチから０．１２５インチの範囲の値を有する。
【００３８】
理想的な手当用品は、必要に応じて新しい細胞の成長及び／又は治癒を促進できる最適な治癒環境を提供する必要がある。加えて、又は他の状況では、適用部位を外傷から保護するため、薬を投与するため、滲出液を吸収するため、創傷、褥瘡、潰瘍、いぼ又は病変を清潔に保つため、及び／又は出血を止めるために手当用品が必要になる場合がある。また、体表面上の位置に応じて、創傷、褥瘡、潰瘍、いぼ又は病変の環境は、被覆された皮膚表面部位又は被覆された部位の周囲の皮膚表面の三次元輪郭が、皮膚表面下の組織の動きに応じて変化するのに伴い、頻繁な応力、歪み、又は応力と歪みとの組み合わせに曝される可能性がある。指、足首、又は膝の関節などの体の関節領域に関連する皮膚表面などのヒトの組織を含む哺乳動物組織の領域の三次元輪郭は、大きく動き、変化する場合がある。したがって、手当用品が身体のこれらの領域を被覆しているか又はこれらに接触している状況において、手当用品がその下及び／又は周囲の組織の動きに起因する身体形状の変化に適応するように拡張及び／又は伸張できない場合には、手当用品が、被覆又は接触している部位あるいはその周辺の組織表面の動きから生じる力に逆らうのに伴って、手当用品が着用者に不快感を与えるか、完全に外れることによって機能しなくなってしまうか、及び／又は適用部位を損傷してしまう可能性がすべて高まる。したがって、手当用品が前述の望ましい属性の１つ又は複数を提供するためには、手当用品は比較的長時間皮膚表面に付着できるだけでなく、貼付される皮膚表面の三次元輪郭の変化に動的に順応できる必要がある。したがって、動的な追従性の利点を提供するために、本発明の手当用品は、１つ又は複数の力が同心スリット環パターン１８を有する手当用品に向けられたか又は加えられた時に、一定範囲の三次元構成へと弾性的に自由に拡張可能であるように設計されている。
【００３９】
上述の実施形態のいずれにおいても、手当用品１０は、例えば創傷、褥瘡、潰瘍、いぼ、病変、又は皮膚表面を覆うか又は接触するように、哺乳動物の組織又は皮膚に貼付される。このような実施形態では、そのような覆われているか又は接触されている領域あるいはその周囲の皮膚表面のあらゆる動きは、手当用品１０に対してその厚さ方向Ｔの力を引き起こし、作用させることができる。同心環状パターン１８は、当初の手当用品１０のＬＷ平面内で実質的に平坦である構成と、手当用品１０の厚さ方向Ｔに拡張された構成との間で、手当用品１０の厚さ方向Ｔ（すなわち、力の方向）に弾性的に自由に拡張可能であるように構成されている（図３Ａ及び図３Ｂを参照）。同心環状パターン１８は、手当用品１０によって覆われているか又は接触されている領域あるいはその周辺の皮膚表面の動きが手当用品１０に対して力を引き起こして作用させると（図３Ａ〜図３Ｃを参照）、無材料領域１６が、図３Ａのような当初の閉じた構成（又は当初の実質的に閉じた構成）から（図３Ｂで１６’として示されている）開いた構成まで自由に変化して、同心環状パターン１８を、当初の手当用品１０のＬＷ平面内で平坦である構成から厚さ方向Ｔに拡張された構成（図３Ｂに示す）まで厚さ方向Ｔに拡張させ、手当用品１０の厚さ方向Ｔの力が作用しなくなると、無材料領域１６が当初の閉じた（又は実質的に閉じた）構成へと自由に戻る（図３Ａ及び図３Ｃを参照）ことにより、同心環状パターン１８が（図３Ｃに示すように）当初のＬＷ平面内で実質的に平坦である構成に自由に戻るように配置されている無材料領域１６を含む。本明細書で使用される「自由に」という用語は、材料層１２を形成するために使用される材料が、無材料領域１６の開閉を制限又は阻害するように膨張しないこと、及び／又は剥離可能層を除去した後は、材料層１２が、いかなる更なる層又は基材にも無材料領域１６の開閉を制限又は抑制するように付着されないことを意味する。無材料領域１６に関して本明細書で使用される「閉じた」、「閉じた位置」又は「閉じた構成」という用語は、目視検査時に無材料領域１６を通した可視性がないか、又は実質的にないように、無材料領域１６が閉じているか、又は実質的に閉じていることを意味する。無材料領域１６に関して本明細書で使用される「開いた」、「開いた位置」又は「開いた構成」という用語は、目視検査時に無材料領域１６を通した可視性があるように、無材料領域１６が開いていることを意味する。本明細書で使用される「可視性」という用語は、生物又は無生物の別個の特徴を確認及び識別する能力を意味する。
【００４０】
したがって、一実施形態では、図３Ａ〜図３Ｃに示すように、本発明の手当用品は、少なくともその厚さ方向に動的に自由に拡張して、貼付される皮膚表面の三次元輪郭の変化に適合可能な三次元形状を作り出すことにより、皮膚表面／手当用品界面での応力及び／又は歪みを緩和する。一実施形態では、本発明の手当用品は、手当用品の三次元的に拡張可能な部分を形成する同心スリット環パターン１８を含む。一実施形態では、同心スリット環パターン１８は、手当用品の厚さ方向に弾性的に開いて、手当用品が貼付されている皮膚表面の三次元輪郭に適合する三次元形状に手当用品の少なくとも一部分を拡張することの可能な無材料領域１６を有することにより、手当用品１０に三次元拡張性を付与する。一実施形態では、手当用品１０の無材料領域１６は、手当用品１０が貼付されている皮膚表面の三次元輪郭の変化の結果として起こり得る手当用品１０への力の印加に応じて、手当用品の厚さ方向Ｔに弾性的に自由に開き、手当用品がその下の皮膚表面の三次元輪郭の変化に適合することができるような三次元構成を手当用品に付与することが可能である。いくつかの実施形態では、手当用品１０の同心スリット環パターン１８に力が加えられると、手当用品１０の無材料領域１６のうちの１つ又は複数が、加えられた力の大きさに比例する割合で、手当用品１０の厚さ方向Ｔに弾性的に自由に開く。したがって、加えられる力が減少又は増加すると、１つ以上の無材料領域１６が手当用品１０の厚さ方向Ｔに開く割合は、それぞれ減少又は増加する。
【００４１】
本発明の手当用品１０がその厚さ方向Ｔに拡張可能である程度が、手当用品１０を作製する材料の選択により、また同心スリット環パターン１８の同心環のうちの１つ以上に含まれる無材料領域１６の数ｎの選択により調整されてもよい。一実施形態では、図２Ｃに示すように、無材料領域１６の数ｎは１０であり、同心スリット環パターン１８のすべての同心環にわたって同じである。しかし、無材料領域１６の他の配置も本発明の範囲内である。無材料領域１６の数ｎが、同心スリット環パターン１８の異なる同心環にわたって変化する実施形態も、本発明の範囲内であることが意図されている。本発明では、任意の適切な数の無材料領域１６を使用することができる。いくつかの実施形態では、任意の所与の同心環内の無材料領域１６の数ｎが、２〜２５、任意選択的に３〜２５の範囲であってもよい。いくつかの実施形態では、任意の所与の同心環内の無材料領域１６の数ｎは、２、３、４などの２５以下から選択される整数である。
【００４２】
いくつかの実施形態では、同心スリット環パターン１８は、材料層１２の表面（上部と下部の両方の平面）の表面積の約５０％〜約１００％、任意選択的に少なくとも約７５％〜約１００％、任意選択的に約９０％〜約１００％、又は任意選択的に１００％（又は約１００％）を覆うように材料層１２内に形成される。本明細書で使用する「材料層の表面の表面積の１００％を覆う」又は「材料層の表面の表面積の被覆範囲が１００％である」は、同心スリット環パターンが材料層の表面の表面積全体を覆い、材料層１２の周辺端まで延伸していることを意味する。
【００４３】
手当用品１０がその厚さ方向Ｔに拡張することによって伸張する伸張性の程度は、Ｉｎｓｔｒｕ−Ｍｅｔ  ＆  Ｉｎｓｔｒｏｎ  １１２２  ＆  ５５４３（Ｉｎｓｔｒｕ−Ｍｅｔ  Ｃｏｒｐｏｒａｔｉｏｎ，Ｕｎｉｏｎ，ＮＪ  ０７０８３）と、内径４４．５ｍｍのリングクランプ及び２５．４ｍｍ球面プランジャを含むＡＳＴＭ  Ｄ３７８７Ｂｕｒｓｔ  Ｆｉｘｔｕｒｅのスロートに元の長さ２．５インチから長さ３．７５インチに延長する変更を施し、クランプ力を確保するためにネジ下のスプリングを取り除いたものと、を使用して測定できる。ＭＴＳ  Ｔｅｓｔ  Ｗｏｒｋｓ  ４．１２  Ｆソフトウェアアプリケーション（Ｉｎｓｔｒｕ−Ｍｅｔ  Ｃｏｒｐｏｒａｔｉｏｎ、ＮＪ）も、計算を支援するために使用可能である。
【００４４】
図２Ａを参照すると、一実施形態では、本発明の手当用品は、同心スリット環パターン１８の同じ同心環内の隣接する無材料領域１６間の空間的間隔２４を含む。一実施形態では、同じ同心環内の無材料領域１６間の空間的間隔２４は、互いに実質的に同一である。いくつかの実施形態において、同心スリット環パターン１８の同じ同心環内の空間的間隔２４の大きさは、隣接する無材料領域１６の異なる対の間での大きさと異なる。他の実施形態では、空間的間隔２４の大きさは、同心スリット環パターン１８の同じ同心環内では実質的に同一であるが、異なる同心環間では異なる。いくつかの他の実施形態では、空間的間隔２４の大きさは、同心スリット環パターン１８の任意の所与の同心環内と異なる同心環間とで実質的に異なるだけではない。
【００４５】
一実施形態では、図２Ａに示すように、本発明の手当用品は、任意の所与の同心環内の無材料領域１６間の複数の空間的間隔２４を含み、各空間的間隔２４の大きさは、同心環状パターン１８の最も内側の同心環内では最小値を有し、最も外側の同心環内で最大値となるまで、連続する径方向に外側の同心環毎に値が増加する。一実施形態では、図４Ｂに示すように、任意の所与の同心環内の各空間的間隔２４は、中心Ｐで角度θを定め、角度θは、約３°から２０°、任意選択的に約６°から２０°の範囲の値を有する。いくつかの特定の実施形態では、角度θは、３°、４°、５°などの２０°以下から選択される値を有する。
【００４６】
図２Ｂを参照すると、一実施形態では、本発明の手当用品は、それぞれが長さ３６を有する無材料領域１６を含む。図２Ｂに示すように、任意の所与の同心環内の複数の無材料領域１６のそれぞれは、その同心環内の複数の無材料領域１６の間で実質的に同じ長さ３６を有する。一実施形態では、任意の所与の同心環内の複数の無材料領域１６のそれぞれは、異なる同心環間では異なるが、同じ同心環内の複数の無材料領域１６間では実質的に同じ長さ３６を有する。いくつかの実施形態では、各無材料領域１６の長さ３６は、同じ同心環内の複数の無材料領域１６間で異なるだけでなく、同心スリット環パターン１８の異なる同心環間で異なる。一実施形態では、図２Ｂに示すように、本発明の手当用品の無材料領域１６はいずれも、無材料領域１６が最も内側の同心環内に位置している時には最小値を有し、無材料領域１６が最も外側の同心環内に位置している時に最大値となるまで、連続する径方向に外側の同心環毎に値が増加する長さ３６を有する。
【００４７】
図２Ａ及び図５を参照すると、一実施形態では、本発明の手当用品は、その形状によってもたらされる手当用品の特性が、本願中の他の箇所で説明されている少なくとも１つ以上の特性である限りにおいて、それぞれがいかなる適切な形状であってもよい形状を有する複数の無材料領域１６を含む。一実施形態では、本発明の手当用品は、それぞれが曲線形状、Ｓ字形状、階段形状、又はこれらの任意の組み合わせを有する複数の無材料領域１６を含む。
【００４８】
任意選択的構成要素
いくつかの実施形態では、手当用品１０は、材料層１２の上部表面上及び下部（又は皮膚に面する）表面上の少なくとも一方、任意選択的に下部（又は皮膚に面する）表面上に、手当用品１０を組織／皮膚表面に接着させる接着剤を更に組み込んでいる。接着剤は、手当用品１０に組み込まれる際に、無材料領域１６の当初の閉じた構成と開いた構成との間の自由な動きを制限又は阻害しないように塗布される。一般に、任意の様々な感圧接着剤を手当用品１０に使用することが可能である。例示的な感圧接着剤には、水溶性及び水不溶性感圧接着剤並びに水性環境に分散可能な感圧接着剤を含む、ヒトの皮膚と生体適合性の感圧接着剤が含まれる。例えば、市販の分散性感圧接着剤には、商品名ＨＬ−９４１５−Ｘ（Ｈ．Ｂ．Ｆｕｌｌｅｒ  Ｃｏｍｐａｎｙから入手可能）で販売されているものが挙げられる。別の好適な接着剤としては、約１０〜７５重量％のポリアルキルオキサゾリンポリマー、１０〜７５重量％のヒドロキシ化合物又はカルボン酸化合物を含む機能性希釈剤、５〜５０重量％の粘着付与剤が挙げられる。したがって、適切な感圧接着剤の組成は様々であってもよい。親水コロイドを含むものがあってもよい。使用される親水コロイド要素は、数ある中でも、例えば、カルボキシメチルセルロースナトリウム、ペクチン、キサンタンガム、多糖類、アルギン酸ナトリウム又はカルシウム、キトサン、海草抽出物（カラギーナン（cageenan））、ポリアスパラギン酸、ポリグルタミン酸、ヒアルロン酸又は塩、及びこれらの誘導体などの、本利用において良好な性能を有する任意の物質であってもよい。とりわけ、カルボキシメチルセルロースナトリウム及びペクチンなどの親水コロイドは、例えば、創傷からの体液と接触するとすぐに、ゲルを形成する物質である。絆創膏で使用される場合、これらのヒドロコロイドは、エラストマー及び／又は接着剤と組み合わされる。好ましくは、絆創膏は、治癒を加速させるのに適した条件である、飽和、瘢痕形成を伴わない湿潤環境をもたらすべきである。
【００４９】
創傷手当用品におけるそのような使用が知られている他の従来の接着剤を、本発明の手当用品１０と共に使用してもよい。例えば、粘着性を高めるための樹脂、凝集増強剤、吸収剤（好ましくはポリアクリレート超吸収体、ポリアクリレート塩超吸収体、又はこれらの混合物）、及び／又は可塑剤及び任意選択的に顔料を含有する感圧アクリル接着剤。
【００５０】
本発明の手当用品１０に塗布される感圧接着剤が、当業者の理解の範囲内で、線状、網状、スプレー状又は他の構成で配置された不連続パターンで構成されてもよい。
【００５１】
一実施形態では、図１に示すように、（（以下により詳細に説明するように）任意選択的に更なる層４０を含む）手当用品１０は、以下と剥離可能に接触する（又は剥離可能に付着する）剥離可能層３８を更に含む：ｉ）材料層１２；又は、ｉｉ）材料層１２を含む手当用品１０。更なる実施形態では、剥離可能層３８は、材料層１２上に配置された任意の接着剤に剥離可能に接触してこれを被覆する。他の実施形態では、剥離可能層３８は、剥離可能層３８が材料層１２に接着するように接着剤を含む。いくつかの実施形態では、剥離可能層３８は、無材料領域１６が閉じた構成にある間は材料層１２又は手当用品１０と接触している（又は剥離可能に付着されている）。いくつかの実施形態では、剥離可能層１７は、剥離可能層３８が材料層１２又は手当用品１０から剥離されるまでは、無材料領域１６が閉じた構成で剥離可能に保持されるように、材料層１２又は手当用品１０に接触している（又は剥離可能に付着している）。剥離可能層３８は、例えば、ポリエチレン、ポリプロピレン、クラフト紙、ポリエステル、又はこれらの材料のいずれかの複合材料を含む、任意の適切な材料から構成され得る。
【００５２】
一実施形態では、図６及び図７に示すように、手当用品１０は、材料層１２に加えて、材料層１２上に配置された１つ以上の層を含む。一実施形態では、手当用品１０は、更なる層（又は基材層）４０を含む。そのような実施形態では、材料層１２が、更なる層４０が無材料領域１６の開閉を著しく制限又は抑制するように任意の更なる層４０に付着されることはない。いくつかの実施形態では、更なる層４０が、無材料領域１６を組み込んでもよいし、組み込まなくてもよい。更なる層４０が無材料領域１６を組み込む実施形態では、更なる層４０内の無材料領域１６は、材料層１２内の無材料領域１６によって形成される同心環パターン単位と同じ又は類似のパターン単位を形成する。これらのような実施形態のいくつかにおいては、更なる層４０のパターン単位は、材料層１２のパターン単位とも位置合わせされている。別の一実施形態では、手当用品１０は、剥離可能層３８の反対側の材料層１２の表面側に配置されているか、又は材料層１２と剥離可能層３８との間に配置されている１つ以上の更なる層４０のうちの１つを含む。１つ又は複数の更なる層４０はいずれも、それ自体が単一又は複数の層を含むことができる。図７に示すように、単一層又は複数層の形の更なる層４０を、材料層１２の保護裏材層として機能するように組み込むことができる。あるいは、そのような更なる層４０が、図６に示すように、吸収特性及び／又は膨張特性を提供するパッド層として機能するか、又はこれを含むことができる。いくつかの実施形態では、更なる層４０は、本発明の無材料領域１６及び／又は同心環パターン１８を含む。いくつかの実施形態では、更なる層４０は、本発明の無材料領域１６を含まないか、又は実質的に含まない。
【００５３】
いくつかの実施形態では、更なる層４０がパッド層として機能する場合、更なる層４０は、材料層１２の第１の側４４に面し、第１の表面積５０を有する第１の表面４２と、皮膚に面し、第２の表面積５２を有する、第１の表面４２とは反対側の第２の表面４８と、を有する。典型的には、パッド層は、ガーゼを形成するために使用される材料などの、透かし入りの、多孔性の、天然の又は合成の繊維材料から形成され得る。パッド層は、典型的には、皮膚表面及び／又は創傷に接触して、創傷滲出液又は排泄物を吸収する。いくつかの実施形態では、更なる層４０がパッド層として機能する場合、更なる層４０を、通常の使用中に材料層１２から分離しないように、材料層１２に直接又は間接に貼り付けてもよい。
【００５４】
裏材層として使用される場合、更なる層４０が、図７に示される円形に加えて、長方形、楕円形、卵形、又は長方形などを含むがこれらに限定されない様々な他の形状を有することができる。そのような実施形態では、包帯及びテープ１０の形状は、更なる層４０の形状によって画定され得る。いくつかのそのような実施形態では、更なる層４０が、薄く、非常に柔軟又は変形可能で、水を通さず、透明又は不透明であってもよい。一般に、いくつかのそのような実施形態では、更なる層４０の厚さは、所望の形成及び屈曲特性を達成するために、約０．０５〜０．２ミリメートル（「ｍｍ」）である。
【００５５】
更なる層４０が裏材層として機能するいくつかのそのような実施形態では、更なる層４０を形成するのに使用される材料は、身体の輪郭に適合し、製品を着用する身体部分の自由な動きを可能にするように柔軟でなければならない。いくつかの実施形態では、それが織布若しくは不織布、フィルム又は発泡体であってもよい。裏材層を形成するのに役立つ高分子材料としては、ポリオレフィン（ポリエチレンなど）、ポリウレタン、及びポリ塩化ビニルが挙げられる。裏材の他の例としては、これらに限定されるものではないが、綿、ポリエステル、ポリウレタン、レーヨンなどの不織布、織布、又は編布を含む。
【００５６】
更なる層４０を形成するためにポリエチレンフィルムを任意選択的に使用することができるが、この場合、更なる層４０は裏材層４０として機能し、そのような場合、特に有効な結果は、気体（水蒸気を含む）透過性という更なる利点を有する、ポリウレタンで形成された伸縮性のエラストマーフィルムによって実現することができる。しかしながら、そのような場合、当該技術分野では既知の他の可撓性非水溶性ポリマーフィルムを使用してもよいことが理解される。更に、更なる層４０が裏材層として使用される場合、更なる層４０を、独立気泡高分子発泡体、特に、使用者の皮膚から離れた方向を向く独立気泡高分子発泡体の側を覆うインテグラルスキンを有するものから形成してもよい。いくつかの実施形態では、ポリウレタン又はポリエチレンで形成された発泡材層が好適であるが、同様の特性を有する他のポリマー発泡材を使用することもできる。更なる層４０が裏材層として使用される他の実施形態では、更なる層４０は、他のポリオレフィン、ポリエチレン酢酸ビニル、織物不織布、ゴム、又は接着物品の技術分野で知られている他の材料から作られてもよい。いくつかの実施形態では、更なる層２０が裏材層として機能する更なる層４０を形成するために使用されるポリマーは、一般に、約１９０℃の温度で約５００〜５００，０００センチポアズ、又は約１９０℃の温度で約１，０００〜３０，０００センチポアズ、又は約１９０℃の温度で約３，０００〜１５，０００センチポアズの粘度を有する。
【００５７】
いくつかの実施形態では、更なる層４０が裏材層として機能する場合、更なる層４０が液体に対して不透過性であるが、気体に対しては透過性であってもよく、これにより本発明の包帯及びテープ１０が付着している創傷及び皮膚は呼吸することができる。更なる層４０が裏材層として機能する一実施形態では、更なる層４０が、非常に小さなサイズの分子を有する気体の通過のみを許容するサイズの細孔を有してもよい。
【００５８】
最後に、更なる層４０が裏材層として機能する場合、皮膚の更なる通気のために更なる層４０を穿孔することができる。そのようないくつかの実施形態では、穿孔領域は円形であってもよく、例えば、約０．１〜約０．８ミリメートルといった範囲の直径を有してもよい。しかしながら、更なる層４０が裏材層として機能するいくつかの他の実施形態では、更なる層４０が、必要な場合には気体に対して完全に不透過性であってもよい。
【００５９】
本発明は、例示及び比較の目的のために提示される以下の実施例によって更に説明される。
【００６０】
本発明の図及び説明の少なくとも一部は、本発明の明確な理解に関連する要素に重点を置くために簡素化されていることを理解すべきである。
【００６１】
更に、任意の方法が本明細書に明記されている工程の特定の順序に依拠しない限りにおいて、工程の特定の順序は請求項に対する制限と解釈されるべきでない。本発明の任意のそのような方法を対象とした請求項は、書かれた順序での工程の実行に限定されるべきでなく、また、本発明の精神及び範囲内で工程を変更してもよいことが、当業者に容易に理解されよう。
【００６２】
発明の実施形態
１．手当用品であって、
非セルロース材料層であって、
（ｉ）相互に直交する３つの方向の軸をそれぞれ画定する長さ方向（Ｌ）、幅方向（Ｗ）、及び厚さ方向（Ｔ）を有し、長さ方向（Ｌ）及び幅方向Ｗが水平面（「ＬＷ平面」）を画定し、厚さ方向（Ｔ）がＬＷ平面に対して上下方向又は垂直方向を画定し、材料層が厚さ方向に沿った厚さを有し、
（ｉｉ）複数の無材料領域を有し、無材料領域のそれぞれが材料層の少なくとも一部分の厚さを通って延在し、複数の無材料領域が、ＬＷ平面内に中心点（Ｐ）を有する同心スリット環パターンの形で配置され、同心スリット環パターンが、中心点Ｐに対して、最短径及び最長径をそれぞれが有する径方向に最も内側の同心環及び径方向に最も外側の同心環を有する、
非セルロース材料層を含み、
複数の無材料領域が、複数の空間的間隔で隔てられて端から端まで配置され、任意の同心環Ｉ内に位置する任意の無材料領域Ｉｎが、中心点Ｐで非ゼロ値角度αＩｎを定め、ｎが、連続した番号で配置された無材料領域を中に有する環内の一無材料領域を特定する番号を表し、
同心環のうちの任意の１つにおいて、中心点Ｐで複数の無材料領域によって定められる非ゼロ値角度の合計が３６０度未満であり、
同心環のうちの任意の１つの無材料領域が、任意の隣接する内側及び／又は隣接する外側の同心環の複数の無材料領域に対して径方向にずれた関係にある、
手当用品に関する。
２．最も内側の同心環と最も外側の同心環との間に配置された１つ以上の介在する同心環を更に含む、実施形態１の手当用品。
３．１つ以上の介在する同心環のいずれかが、介在する同心環に対して隣接する任意の内側の同心環の直径よりも大きい直径を有する、実施形態１及び／又は２の手当用品。
４．任意の径方向に同心の環の任意の無材料領域が、中心点Ｐで無材料領域によって定められる角度を二等分する対称軸を有する、先行する実施形態のいずれか１つ又はこれらの組み合わせの手当用品。
５．径方向に最も外側及び／又は最も内側の同心環の任意の無材料領域が、中心点Ｐで無材料領域によって定められる角度を二等分する対称軸を有する、先行する実施形態のいずれか１つ又はこれらの組み合わせの手当用品。
６．
（ａ）任意の無材料領域Ｉｎが、非ゼロ角度αＩｎを二等分する対称軸を更に有し、
（ｂ）同心環Ｉに隣接する任意の同心環Ｋ内に位置し、無材料領域Ｉｎに近接する任意の無材料領域Ｋｎが、中心点Ｐで非ゼロ値角度αＫｎを定め、非ゼロ値角度αＫｎを二等分する対称軸を有し、
（ｃ）無材料領域Ｉｎの対称軸が、無材料領域Ｋｎの対称軸から角度φだけずれており、
（ｄ）角度φが、次の式：０°＜φ＜（αＩｎ＋αＫｎ）で指定される範囲内の値を有する、
先行する実施形態のいずれか１つ又はこれらの組み合わせの手当用品。
７．径方向に最も内側の同心環内の任意の無材料領域の対称軸が、径方向に最も外側の同心環内に位置する任意の近接する無材料領域の対称軸から径方向に、約５°から約４０°の範囲の値を有する角度φだけずれている、先行する実施形態のいずれか１つ又はこれらの組み合わせの手当用品。
８．同心環のうちの任意の１つの任意の無材料領域の対称軸が、その同心環に対して径方向に外側又は内側の任意の隣接する同心環内に位置する任意の近接する無材料領域の対称軸から径方向に、約５°から約３０°の範囲の値を有する角度φだけずれている、先行する実施形態のいずれか１つ又はこれらの組み合わせの手当用品。
９．最も内側の同心環が約０．１２５インチから約３．５インチの範囲の直径を有する、先行する実施形態のいずれか１つ又はこれらの組み合わせの手当用品。
１０．最も外側の同心環が約０．１２５インチから約０．２５インチの範囲の直径を有する、先行する実施形態のいずれか１つ又はこれらの組み合わせの手当用品。
１１．最も内側の同心環が約０．１２５から約０．５インチの範囲の直径を有し、最も外側の同心環が約０．５インチから約１インチの範囲の直径を有する、先行する実施形態のいずれか１つ又はこれらの組み合わせの手当用品。
１２．最も内側の同心環が約０．１２５インチの直径を有する、先行する実施形態のいずれか１つ又はこれらの組み合わせの手当用品。
１３．最も外側の同心環が約０．５インチの直径を有する、先行する実施形態のいずれか１つ又はこれらの組み合わせの手当用品。
１４．最も内側の同心円環が約０．１２５インチの直径を有し、最も外側の同心円環が約０．５インチの直径を有する、先行する実施形態のいずれか１つ又はこれらの組み合わせの手当用品。
１５．各同心環が同心中心線を有する、先行する実施形態のいずれか１つ又はこれらの組み合わせの手当用品。
１６．同心スリット環パターンが、隣接する同心環の連続する対の隣接する同心中心線間に等しい径方向間隔を有する、先行する実施形態のいずれか１つ又はこれらの組み合わせの手当用品。
１７．隣接する同心環の対の隣接する同心中心線の任意の対が、同心スリット環パターンの隣接する同心環の連続する対の隣接する同心中心線の異なる対の間で異なる径方向間隔によって隔てられている、先行する実施形態のいずれか１つ又はこれらの組み合わせの手当用品。
１８．同心スリット環パターンの隣接する同心環の隣接する同心中心線の対の間の径方向間隔が、中心点Ｐから径方向外向きに増加する、実施形態１〜１５のいずれか１つ又はこれらの組み合わせの手当用品。
１９．同心スリット環パターンの隣接する同心環の隣接する同心中心線の対の間の径方向間隔が、中心点Ｐから径方向外向きに減少する、実施形態１〜１５のいずれか１つ又はこれらの組み合わせの手当用品。
２０．同心スリット環パターンの隣接する同心環の連続する対の隣接する同心中心線の各対の間の径方向間隔が、隣接する同心環の異なる対の間で異なる、実施形態１〜１５のいずれか１つ又はこれらの組み合わせの手当用品。
２１．隣接する同心環の任意の対が、中心点Ｐからの隣接する同心環の各径方向距離間の差である距離だけ径方向に離間している、実施形態１〜１５のいずれか１つ又はこれらの組み合わせの手当用品。
２２．材料層がその厚さ方向に拡張可能である、先行する実施形態のいずれか１つ又はこれらの組み合わせの手当用品。
２３．材料層が、手当用品の同心スリット環パターンを有する部分に加えられる任意の力に応じて厚さ方向に弾性的に拡張可能であり、材料層の弾性的な拡張が、これに加えられる力の大きさに比例する割合である、実施形態１〜２１のいずれか１つ又はこれらの組み合わせの手当用品。
２４．任意の所与の同心環内の複数の無材料領域を隔てている複数の空間的間隔のそれぞれの大きさは、同心スリット環パターンの最も内側の同心環内では最小値を有し、最も外側の同心環内で最大値となるまで、連続する径方向に外側の同心環毎に値が増加する、先行する実施形態のいずれか１つ又はこれらの組み合わせの手当用品。
２５．任意の所与の同心環内の任意の空間的間隔が中心Ｐで角度θを定める、先行する実施形態のいずれか１つ又はこれらの組み合わせの手当用品。
２６．角度θが約３°〜２０°の範囲の値を有する、実施形態２５の手当用品。
２７．角度θが約６°〜２０°を有する、実施形態２５及び／又は２６のいずれか１つあるいはこれらの組み合わせの手当用品。
２６．手当用品であって、
ａ．材料層であって、
（ｉ）相互に直交する３つの方向の軸をそれぞれ画定する長さ方向（Ｌ）、幅方向（Ｗ）、及び厚さ方向（Ｔ）を有し、長さ方向（Ｌ）及び幅方向Ｗが水平面（「ＬＷ平面」）を画定し、厚さ方向（Ｔ）がＬＷ平面に対して上下方向又は垂直方向を画定し、材料層が厚さ方向に沿った厚さを有し、
（ｉｉ）複数の無材料領域を有し、無材料領域のそれぞれが材料層の厚さを通って延在し、複数の無材料領域が、ＬＷ平面内に中心点（Ｐ）を有する同心スリット環パターンの形で配置され、同心スリット環パターンが、中心点Ｐに対して、最短径及び最長径をそれぞれが有する径方向に最も内側の同心環及び径方向に最も外側の同心環を有する、
材料層と、
ｂ．材料層に剥離可能に接触している剥離可能なライナーと、
を含み、
無材料領域が、空間的間隔で隔てられて端から端まで配置され、任意の同心環Ｉ内に位置する任意の無材料領域Ｉｎが、中心点Ｐで非ゼロ値角度αＩｎを定め、ｎが、連続した番号で配置された無材料領域を中に有する環内の一無材料領域を特定する番号を表し、
同心環のうちの任意の１つにおいて、中心点Ｐで複数の無材料領域によって定められる非ゼロ値角度の合計が３６０度未満であり、
同心環のうちの任意の１つの無材料領域が、任意の隣接する内側及び／又は隣接する外側の同心環の無材料領域と径方向にずれた関係にある、
手当用品。
２７．任意の無材料領域Ｉｎが、非ゼロ値角度αＩｎを二等分する対称軸を更に有する、実施形態２６の手当用品。
２８．同心環Ｉに隣接する任意の同心環Ｋ内に位置し、無材料領域Ｉｎに近接する任意の無材料領域Ｋｎが、中心点Ｐで非ゼロ値角度αＫｎを定め、非ゼロ値角度αＫｎを二等分する対称軸を有し、無材料領域Ｉｎの対称軸と、無材料領域Ｋｎの対称軸とが、互いに対し、次の式：０°＜φ＜（αＩｎ＋αＫｎ）で指定される範囲内の値を有する角度φだけずれている、
実施形態２６及び／又は２７のいずれか又はこれらの組み合わせの手当用品。
２９．角度φが約５°から約４０°の範囲の値を有する、実施形態２６の手当用品。
３０．角度φが約５°から約３０°の範囲の値を有する、実施形態２６の手当用品。
３１．角度αＩｎ及び角度αＫｎのそれぞれが約２０°から約１７７°の範囲の値を有する、実施形態２６〜３０のいずれか１つ又はこれらの組み合わせの手当用品。
３２．角度αＩｎ及び角度αＫｎのそれぞれが約２０°から約９０°の範囲の値を有する、実施形態２６〜３１のいずれか１つ又はこれらの組み合わせの手当用品。
３３．角度αＩｎ及び角度αＫｎのそれぞれが約２０°から約６０°の範囲の値を有する、実施形態２６〜３２のいずれか１つ又はこれらの組み合わせの手当用品。
３４．角度αＩｎ及び角度αＫｎのそれぞれが約３０°から約６０°の範囲の値を有する、実施形態２６〜３３のいずれか１つ又はこれらの組み合わせの手当用品。
３５．手当用品であって、
ａ．）上表面及び下表面を有する材料層であって、厚さ方向（Ｔ）を有し、手当用品によって覆われているか又は接触されている領域又はその周辺の皮膚表面から厚さ方向Ｔに加えられた任意の力によって厚さ方向Ｔに弾性的に自由に拡張できるように構成されており、
材料層が、相互に直交し、材料層の水平面（「ＬＷ平面」）を共同で画定する長さ（Ｌ）及び幅（Ｗ）方向を有し、ＬＷ平面が厚さ方向Ｔに直交し、材料層が厚さ方向Ｔに沿った厚さを有し、
材料層が、中心点Ｐを有し、材料層のＬＷ平面内での当初の実質的に平坦である構成と材料層の厚さ方向Ｔに拡張された構成との間で材料層の厚さ方向Ｔに弾性的に自由に拡張できるように構成された同心環パターンを含み、
同心環パターンが、当初の閉じた構成と開いた構成との間で自由に変化することの可能な複数の無材料領域を含み、無材料領域は、手当用品によって覆われているか又は接触されている領域又はその周辺の皮膚表面から厚さ方向Ｔに力が加えられると、無材料領域のうちの１つ以上が当初の閉じた構成から開いた構成へと自由に変化するように構成されている、
材料層と、
ｂ．）材料層の表面のうちの少なくとも１つの上の接着剤と、
を含み、
同心環パターン及び材料層が、厚さ方向Ｔに拡張された構成まで拡張し、
力が材料層に加えられなくなると、１つ以上の無材料領域が当初の閉じた構成へと自由に戻り、
同心スリット環パターンが、材料層のＬＷ平面内での当初の実質的に平坦である構成に自由に戻るようにする、
手当用品。
３６．複数の無材料領域が、空間的間隔で隔てられて端から端まで配置され、任意の同心環Ｉ内に位置する任意の無材料領域Ｉｎが、中心点Ｐで非ゼロ値角度αＩｎを定め、ｎが、連続した番号で配置された無材料領域を中に有する環内の一無材料領域を特定する番号を表す、実施形態３５の手当用品。
３７．複数の同心環のうちの任意の１つにおいて、中心点Ｐで複数の無材料領域によって定められる非ゼロ値角度の合計が３６０度未満である、実施形態３５及び３６のいずれか１つ又はこれらの組み合わせの手当用品。
３８．同心環のうちの任意の１つの無材料領域が、任意の隣接する内側及び／又は隣接する外側の同心環の無材料領域に対して径方向にずれた関係にある、実施形態３５から３７のいずれか１つ又はこれらの組み合わせの手当用品。
３９．無材料領域Ｉｎが、非ゼロ角度αＩｎを二等分する対称軸を有する、実施形態３６から３８のいずれか１つ又はこれらの組み合わせの手当用品。
４０．同心環Ｉに隣接する任意の同心環Ｋ内に位置し、無材料領域Ｉｎに近接する任意の無材料領域Ｋｎが、中心点Ｐで非ゼロ値角度αｋｌを定めるだけではなく、非ゼロ値角度αＫｎを二等分する対称軸を更に有し、無材料領域Ｉｎの対称軸と、無材料領域Ｋｎの対称軸とが、互いに対し、次の式：０°＜φ＜（αＩｎ＋αＫｎ）で指定される範囲内の値を有する角度φだけずれている、実施形態３９の手当用品。
４１．角度φが約５°から約４０°の範囲の値を有する、実施形態４０の手当用品。
４２．角度φが約５°から約３０°の範囲の値を有する、実施形態４０及び／又は４１のいずれか１つ又はこれらの組み合わせの手当用品。
４３．角度αＩｎ及び角度αＫｎのそれぞれが約２０°から約１７７°の範囲の値を有する、実施形態４０の手当用品。
４４．角度αＩｎ及び角度αＫｎのそれぞれが約２０°から約９０°の範囲の値を有する、先行する実施形態のいずれか１つ又はこれらの組み合わせの手当用品。
４５．角度αＩｎ及び角度αＫｎのそれぞれが約２０°から約６０°の範囲の値を有する、先行する実施形態のいずれか１つ又はこれらの組み合わせの手当用品。
４６．角度αＩｎ及び角度αＫｎのそれぞれが約３０°から約６０°の範囲の値を有する、先行する実施形態のいずれか１つ又はこれらの組み合わせの手当用品。
４７．手当用品であって、
ａ．材料層を含む１つ以上の層であって、材料層が、
（ｉ）相互に直交する３つの方向の軸をそれぞれ画定する長さ方向（Ｌ）、幅方向（Ｗ）、及び厚さ方向（Ｔ）を有し、長さ方向（Ｌ）及び幅方向Ｗが水平面（「ＬＷ平面」）を画定し、厚さ方向（Ｔ）がＬＷ平面に対して上下方向又は垂直方向を画定し、材料層が厚さ方向に沿った厚さを有し、
（ｉｉ）複数の無材料領域を有し、無材料領域のそれぞれが材料層の厚さを通って延在し、複数の無材料領域が、ＬＷ平面内に中心点（Ｐ）を有する同心スリット環パターンの形で配置され、同心スリット環パターンが、中心点Ｐに対して、最短径及び最長径をそれぞれが有する径方向に最も内側の同心環及び径方向に最も外側の同心環を有する、
１つ以上の層と、
ｂ．１つ以上の層に剥離可能に接触している剥離可能なライナーと、
を含み、
無材料領域が、空間的間隔で隔てられて端から端まで配置され、任意の同心環Ｉ内に位置する任意の無材料領域Ｉｎが、中心点Ｐで非ゼロ値角度αＩｎを定め、ｎが、連続した番号で配置された無材料領域を中に有する環内の一無材料領域を特定する番号を表す、
手当用品。
【００６３】
〔実施の態様〕
（１）  手当用品であって、
非セルロース材料層であって、
（ｉ）相互に直交する３つの方向の軸をそれぞれ画定する長さ方向（Ｌ）、幅方向（Ｗ）、及び厚さ方向（Ｔ）を有し、前記長さ方向（Ｌ）及び前記幅方向Ｗが水平面（「ＬＷ平面」）を画定し、前記厚さ方向（Ｔ）が前記ＬＷ平面に対して上下方向又は垂直方向を画定し、前記材料層が前記厚さ方向に沿った厚さを有し、
（ｉｉ）複数の無材料領域を有し、前記無材料領域のそれぞれが前記材料層の少なくとも一部分の前記厚さを通って延在し、前記複数の無材料領域が、前記ＬＷ平面内に中心点（Ｐ）を有する同心スリット環パターンの形で配置され、前記同心スリット環パターンが、前記中心点Ｐに対して、最短径及び最長径をそれぞれが有する径方向に最も内側の同心環及び径方向に最も外側の同心環を有する、
非セルロース材料層を含み、
前記複数の無材料領域が、複数の空間的間隔で隔てられて端から端まで配置され、任意の同心環Ｉ内に位置する任意の無材料領域Ｉｎが、前記中心点Ｐで非ゼロ値角度αＩｎを定め、ｎが、連続した番号で配置された無材料領域を中に有する環内の一無材料領域を特定する番号を表し、
前記同心環のうちの任意の１つにおいて、前記中心点Ｐで前記複数の無材料領域によって定められる前記非ゼロ値角度の合計が３６０度未満であり、
前記同心環のうちの任意の１つの前記無材料領域が、任意の隣接する内側及び／又は隣接する外側の同心環の前記無材料領域に対して径方向にずれた関係にある、
手当用品。
（２）  前記最も内側の同心環と前記最も外側の同心環との間に配置された１つ以上の介在する同心環を更に含む、実施態様１に記載の手当用品。
（３）  前記１つ以上の介在する同心環のいずれかが、前記介在する同心環に対して隣接する任意の内側の同心環の直径よりも大きい直径を有する、実施態様２に記載の手当用品。
（４）  任意の径方向に同心の環の任意の無材料領域が、前記中心点Ｐで前記無材料領域によって定められる前記角度を二等分する対称軸を有する、実施態様１に記載の手当用品。
（５）  （ａ）任意の無材料領域Ｉｎが、前記非ゼロ値角度αＩｎを二等分する対称軸を更に有し、
（ｂ）同心環Ｉに隣接する任意の同心環Ｋ内に位置し、無材料領域Ｉｎに近接する任意の無材料領域Ｋｎが、前記中心点Ｐで非ゼロ値角度αＫｎを定め、前記非ゼロ値角度αＫｎを二等分する対称軸を有し、
（ｃ）前記無材料領域Ｉｎの前記対称軸が、前記無材料領域Ｋｎの前記対称軸から角度φだけずれており、
（ｄ）前記角度φが、次の式：０°＜φ＜（αＩｎ＋αＫｎ）で指定される範囲内の値を有する、
実施態様１に記載の手当用品。
【００６４】
（６）  前記径方向に最も内側の同心環内の任意の無材料領域の前記対称軸が、前記径方向に最も外側の同心環内に位置する任意の近接する無材料領域の前記対称軸から径方向に、約５°から約４０°の範囲の値を有する角度φだけずれている、実施態様４に記載の手当用品。
（７）  前記同心環のうちの任意の１つの任意の無材料領域の前記対称軸が、前記同心環に対して径方向に外側又は内側の任意の隣接する同心環内に位置する任意の近接する無材料領域の前記対称軸から径方向に、約５°から約３０°の範囲の値を有する角度φだけずれている、実施態様４に記載の手当用品。
（８）  前記最も内側の同心環が約３．１７５ｍｍから約８８．９ｍｍ（約０．１２５インチから約３．５インチ）の範囲の直径を有する、実施態様１に記載の手当用品。
（９）  前記最も外側の同心環が約３．１７５ｍｍから約６．３５ｍｍ（約０．１２５インチから約０．２５インチ）の範囲の直径を有する、実施態様１に記載の手当用品。
（１０）  前記最も内側の同心環が約３．１７５ｍｍから約１２．７ｍｍ（約０．１２５から約０．５インチ）の範囲の直径を有し、前記最も外側の同心環が約１２．７ｍｍから約２５．４ｍｍ（約０．５インチから約１インチ）の範囲の直径を有する、実施態様１に記載の手当用品。
【００６５】
（１１）  各同心環が同心中心線を有する、実施態様１に記載の手当用品。
（１２）  前記同心スリット環パターンが、隣接する同心環の連続する対の隣接する同心中心線間に等しい径方向間隔を有する、実施態様１１に記載の手当用品。
（１３）  隣接する同心環の対の隣接する同心中心線の任意の対が、前記同心スリット環パターンの隣接する同心環の連続する対の隣接する同心中心線の異なる対の間で異なる径方向間隔によって隔てられている、実施態様１１に記載の手当用品。
（１４）  前記同心スリット環パターンが、前記中心点Ｐから径方向外向きに増加する、隣接する同心環の隣接する同心中心線の対の間の径方向間隔を有する、実施態様１３に記載の手当用品。
（１５）  前記同心スリット環パターンが、前記中心点Ｐから径方向外向きに減少する、隣接する同心環の隣接する同心中心線の対の間の径方向間隔を有する、実施態様１３に記載の手当用品。
【００６６】
（１６）  前記同心スリット環パターンが、隣接する同心環の異なる対の間で異なる、隣接する同心環の連続する対の隣接する同心中心線の各対の間の径方向間隔を有する、実施態様１１に記載の手当用品。
（１７）  隣接する同心環の任意の対が、前記中心点Ｐからの隣接する同心環の各径方向距離間の差である距離だけ径方向に離間している、実施態様１に記載の手当用品。
（１８）  任意の所与の同心環内の前記複数の無材料領域を隔てている前記複数の空間的間隔のそれぞれの大きさは、前記同心スリット環パターンの前記最も内側の同心環内では最小値を有し、前記最も外側の同心環内でその最大値となるまで、連続する径方向に外側の同心環毎に値が増加する、実施態様１に記載の手当用品。
（１９）  任意の所与の同心環内の任意の空間的間隔が前記中心Ｐで角度θを定め、更に、前記角度θが約３°から２０°の範囲の値を有する、実施態様１に記載の手当用品。
【図１】
2020516380.tif 000003
【図２】
2020516380.tif 000004
【図２Ａ】
2020516380.tif 000005
【図２Ｂ】
2020516380.tif 000006
【図３Ａ】
2020516380.tif 000007
【図３Ｂ】
2020516380.tif 000008
【図３Ｃ】
2020516380.tif 000009
【図４Ａ】
2020516380.tif 000010
【図４Ｂ】
2020516380.tif 000011
【図５】
2020516380.tif 000012
【図６】
2020516380.tif 000013
【図７】
2020516380.tif 000014
【図８】
2020516380.tif 000015
【国際調査報告】
2020516380.tif 000016
2020516380.tif 000017